(57)【特許請求の範囲】
【請求項１】
ベースと、カバーと、光源体とを備え、ベースは基板部と、基板部の一端部に設けた一端面部と、基板部の他端部に位置して一端面部に対向する他端面部とを備え、基板部と一端面部と他端面部とで略コ字形状を成しており、カバーは、ベースに取付けてあり、ベースの基板部に対向する正面部と、正面部の一端部と他端部に各々設けて互いに対向する側面部とを備え、正面部と両側面部とで略コ字形状を成しており、光源体はベースの基板部に取付けてあり、四角柱形状を形成するようにベースにカバーを嵌めて固定してあり、光源体の正面及び側面をカバーの正面部及び両側面部で覆っており、光源体の上面をベースの一端面部で覆っており、ベースの一端面部及び他端面部とカバーの正面部との間の隙間から光源体の光を放出することを特徴とする照明具。
【請求項２】
請求項１に記載の照明具を備えることを特徴とする建材。
【発明の詳細な説明】
【技術分野】
【０００１】
本発明は、照明具及びその照明具を備えた柱、梁、門柱等の建材に関する。
【背景技術】
【０００２】
特許文献１には、基板部に光源体を設けたベースと、ベースに対向して設け光源体の正面及び左右側面を覆うカバーとを備えた照明具が開示されている。この特許文献１の照明具では、ベースとカベーとの間には、光源体の上部を覆う上側ルーバと下部を覆う下側ルーバを設けて、光源体の四周をカバーの両側面部と上下のルーバとで覆い、光源体の光を上側ルーバと下側ルーバから放出することが開示されている。
【先行技術文献】
【特許文献】
【０００３】
【特許文献１】特開２００４−２２３１５号公報
【発明の概要】
【発明が解決しようとする課題】
【０００４】
しかし、特許文献１の照明具は、光源体とベースとカバーの他に上側ルーバと下側ルーバとを設けている為に、部品点数が多くなるという問題があった。
また、光源体の上側と下側にルーバを設けているので、各ルーバの羽根板の隙間から光源体が見える為、意匠性に劣るという問題があった。
さらに、ルーバから放出される光は羽根板の影ができるという問題があった。
【０００５】
そこで、本発明は、部品点数を少なくできると共に意匠性が良く、且つ羽根板等の影のない照明ができる照明具及び建材の提供を目的とする。
【課題を解決するための手段】
【０００６】
請求項１に記載の発明は、ベースと、カバーと、光源体とを備え、ベースは基板部と、基板部の一端部に設けた一端面部と、基板部の他端部に位置して一端面部に対向する他端面部とを備え、基板部と一端面部と他端面部とで略コ字形状を成しており、カバーは、ベースに取付けてあり、ベースの基板部に対向する正面部と、正面部の一端部と他端部に各々設けて互いに対向する側面部とを備え、正面部と両側面部とで略コ字形状を成しており、光源体はベースの基板部に取付けてあり、四角柱形状を形成するようにベースにカバーを嵌めて固定してあり、光源体の正面及び側面をカバーの正面部及び両側面部で覆っており、光源体の上面をベースの一端面部で覆っており、ベースの一端面部及び他端面部とカバーの正面部との間の隙間から光源体の光を放出することを特徴とする照明具である。
【０００７】
請求項２に記載の発明は、請求項１に記載の照明具を備えることを特徴とする建材である。
建材には、表札や郵便受け等を設けた支柱（機能ポール）、ゲート、門柱等のファサードや、フェンス、手摺、スクリーン、カーポート、サイクルポート、シェルター、テラス、車止めポール等のエクステリアや、柱、梁、桁、サッシ、ドア、引戸、戸の袖パネル等の建材を含む。
【発明の効果】
【０００８】
請求項１に記載の本発明によれば、ベースは基板部と一端面部と他端面部とで略コ字形状を成しており、カバーは正面部と両側面部とで略コ字形状を成しており、ベースにカバーを嵌め合わせることで光源体を覆うことができるから、照明具をベースとカバーと光源体との３つの部品で組み付けできるので、部品点数を少なくできる。
光源体の四周は、ベースの一端面部と他端面部とカバーの両側面部とで覆っているので、光源体が外部から見え難いから、意匠性が良い。
光源体の光は、ベースの一端面部とカバーの正面部との間の隙間と、ベースの他端面部とカバーの正面部との間の隙間から光源体の光を放出しており、ルーバの羽根等の隙間から放出していないので、ルーバの羽根等の影ができない光で照明することができる。
【０００９】
請求項２に記載の発明によれば、請求項１に記載の効果を奏する建材を提供できる。
【図面の簡単な説明】
【００１０】
【図１】本発明の第１実施の形態にかかる照明具であって、（ａ）は正面図、（ｂ）は側面図、（ｃ）は平面図である。
【図２】図１に示すベースの図であり、（ａ）は正面図、（ｂ）は側面図である。
【図３】図１に示すカバーの図であり、（ａ）は正面図、（ｂ）は側面図、（ｃ）は平面図である。
【図４】本発明の第１実施の形態にかかる照明具を取付けた門柱の図であり、（ａ）は正面図であり、（ｂ）は側面図である。
【図５】本発明の第２実施の形態にかかる照明具であって、（ａ）は正面図、（ｂ）は側面図、（ｃ）は平面図である。
【図６】図５に示すカバーの図であり、（ａ）は正面図、（ｂ）は側面図、（ｃ）は平面図である。
【図７】本発明の第３実施の形態にかかる照明具であって、（ａ）は正面図、（ｂ）は側面図、（ｃ）は平面図である。
【図８】図７に示すカバーの正面部の図であり、（ａ）は背面図、（ｂ）は側面図である。
【図９】図７に示すカバーの側面部の図であり、（ａ）は正面図、（ｂ）は側面図、（ｃ）は平面図である。
【発明を実施するための形態】
【００１１】
以下に、本発明の実施の形態を説明するが、まず、添付図面の図１〜図４を参照して本発明の第１実施の形態を詳細に説明する。第１実施の形態に係る照明具１は、図４に示すように、支柱３にネームプレート５、インターフォン７、郵便受け９を備えたいわゆる機能ポール１１に設けてあり、ネームプレート５の上方に設けて夜間にネームプレート５やインターフォン７を照らすものである。
図１に示すように、照明具１は、ベース１３と、カバー１５と、光源体１７とを備えている。図１及び図２に示すように、ベース１３は正面視四角形状の基板部１９と、基板部１９の上端部（一端部）に設けた一端面部２１と、基板部１９の下端部（他端部）に位置して一端面部２１に対向する他端面部２３とを有し、図２（ｂ）に示すように、基板部１９と一端面部２１と他端面部２３とで略コ字形状を成している。
基板部１９には支柱３に固定するねじ孔２５と光源体１７の配線を引き出す配線用孔２７が形成されている。また、基板部１９には光源体１７がねじで固定されている。
一端面部２１は光源体１７の上に位置して先端部（正面側端）２１ａが、光源体１７の正面側端よりも正面側に位置している。先端部２１ａでは先端を下方に曲げてある。一端面部２１の光源体側にはタッピングホール２９が形成してある。他端面部２３は、一端面部２１よりも先端２３ａが基板部１９側に位置し、先端２３ａにはタッピングホール３１が形成されている。
【００１２】
図１及び図３に示すように、カバー１５は、ベース１３の基板部１９に対向する正面視四角形状の正面部３３と、正面部３３の一端部と他端部とに設けて互いに対向する側面部３５、３７とを有し、正面部３３と両側面部３５、３７とで略コ字形状を成している。
正面部３３は光源体１７が照射した光を受けており光源体１７から照射した光を光源体１７側に反射する。正面部３３に複数の小孔３９が形成されており、小孔３９から光源体１７の光が漏れ出すようになっている。
各側面部３５、３７には、ベース１３にねじ止めする為のねじ孔４１が形成されている。
略コ字形状のベース１３とカバー１５とは、互いに嵌め合わせて四角柱形状を形成するように連結してある。尚、ベース１３及びカバー１５は各々アルミニウム製の押し型形材である。
図１に示すように、カバー１５の正面部３３の上端とベース１３の一端面部２１の先端部２１ａとの間には隙間Ｓ１が形成されており、カバー１５の正面部３３の下端とベース１３の他端面部２３の先端２３ａとの間には隙間Ｓ２が形成されており、隙間Ｓ１よりも隙間Ｓ２の方が大きな間隔としてある。
【００１３】
光源体１７はベース１３の基板部１９の正面に取付けてあり、光源体１７の四周は、ベース１３の一端面部２１と他端面部２３とカバー１５の各側面部３５、３７とで覆っている。
光源体１７は、防水型照明体であり、ＬＥＤ（発光ダイオード）が点灯する電源部と電源部を収納した防水ソケットにより構成されている。光源体１７の配線は、ベースの配線用孔２７から支柱３内に導出されて電源に接続されている。
【００１４】
次に、本実施の形態にかかる照明具１の組立及び支柱への取付け、及び作用効果について、説明する。
図１に示すように、照明具１の組立及び支柱３への取り付けは、ベース１３の基板部１９のねじ孔２５にねじで支柱３に固定し、基板部１９に光源体１７をねじで固定する。次に、略コ字形状のベース１３に略コ字形状のカバー１５を四角柱形状を形成するように嵌め合わせ、カバー１５の各側面部３５、３７のねじ孔２５をベース１３のタッピングホール２９、３１に合わせてねじ４５で固定する。これにより、照明具１の組立及び支柱への取付けが完了する。
照明具１において、光源体１７が点灯すると、光源体１７が照射した光は、カバーの正面部３３により反射され、光源体１７が照射した光は外部に直接照射されることなく、カバー１５とベース１３との間の空間の反射光が隙間Ｓ１及びＳ２から漏れ出るが、隙間Ｓ２が隙間Ｓ１よりも大きな寸法の隙間なので、主に下方の隙間Ｓ２から漏れ出た光が放出され、照明具１の下にあるネームプレート５やインターフォン７を照らす。
また、カバー１５の正面部３３に設けた小孔３９から正面に漏れ出た光により照明具１の正面側に光のデザインが施される。
【００１５】
第１実施の形態によれば、ベース１３は基板部１９と一端面部２１と他端面部２３とを備えており、カバー１５は正面部３３と両側面部３５、３７とを備えている為、ベース１３とカバー１５と光源体１７との３つの部品で組み付けできるので、部品点数を少なくできる。
光源体１７の四周は、ベース１３の一端面部２１と他端面部２３とカバー１５の両側面部３５、３７とで覆っているので、光源体１７が外部から見え難いから、意匠性が良い。特に、ベース１３の一端面部２１の先端部２１ａは、光源体１７よりも正面側にあるので、上部から覗いた場合でも光源体１７が見え難い。
ベース１３の一端面部２１とカバー１５の正面部３３との間の隙間Ｓ１と、ベース１３の他端面部２３とカバー１５の正面部３３との間の隙間Ｓ２から光源体１７の光を放出しており、従来技術のようにルーバの羽根等の隙間から放出していないので、ルーバの羽根等の影ができない光で照明することができる。
【００１６】
更に、第１実施の形態によれば、ベース１３は、基板部１９と一端面部２１と他端面部２３とで一体の略コ字形状を成しており、カバー１５は正面部３３と両側面部３５、３７とで一体の略コ字形状を成しているので、ベース１３及びカバー１５は各々、押し型形材で製造できるから、製造が容易である。
ベース１３の一端面部２１とカバー１５の正面部３３との間の隙間Ｓ１よりもベース１３の他端面部２３とカバー１５の正面部３３との間の隙間Ｓ２を大きくしているので、下側を照らす光が多くなるように配光することができる。
隙間Ｓ１及びＳ２から漏れ出る光は、光源体１７から直接照射する光でなく、カバー１５の正面部３３に反射した光を漏れ出るようにしているので、しなやかな光を放出でき、従来にない照明光を演出できる。
ベース１３及びカバー１５は、アルミニウム製であるから穴あけ等の加工が容易であると共に表面に木目等のデザインを施したフィルムの貼着も容易であるから、デザインの自由度が高い。
【００１７】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図５及び図６を参照して、本発明の第２実施の形態を説明する。第２実施の形態にかかる照明具１は、カバー１５の各側面部３５、３７には、正面部３３との間に上下方向に長い細長のスリット４９が上下方向の途中まで形成されている点が上述の第１実施の形態と異なっている。また、カバー１５の正面部３３には、小孔３９が形成されていない点も第１実施の形態と異なっている。
【００１８】
この第２実施の形態によれば、小孔３９による意匠を除いて上述した第１実施の形態と同様の作用効果を得ることができると共に、スリット４９から光を漏れ出すことができるので、第１実施の形態と異なる光の意匠を得ることができる。
また、スリット４９は光源体１７の位置とはずれた位置に形成しているので、スリット４９を形成しても光源体１７が外部から見え難い。
【００１９】
図７〜図９を参照して、本発明の第３実施の形態を説明する。この第３実施の形態では、カバー１５が３つの部材から構成してある点が第１実施の形態と異なっている。即ち、図７及び図８に示すように、カバー１５の正面部３３は中空形材で形成しており、裏面に各側面部３５、３７を取り付けるねじ孔５１が形成されている。
図７（ｃ）及び図９（ｃ）に示すように、両側面部３５、３７は各々、平面視略ト字形の板材で形成している。２つの各側面部３５、３７は同じ構成であるから、以下の説明では、一方の側面部３５について説明する。側面部３５には、正面部３３に取り付ける取付片３５ｂが本体部３５ａから突設して形成してあり、取付片３５ｂを正面部３３の裏面に当ててねじ５３で固定してある。側面部３５の本端部３５ａは正面部３３の小口に当てて正面部３３の小口を隠している。
尚、カバー１５の正面部３３には第１実施の形態と異なり、小孔３９は形成していない。
また、カバー１５の正面部３３の正面には、木目模様のラミネートフィルムが貼着してあり木目調のデザインが施されていると共に、ラミネートフィルムで側面部３５の本体部３５ａの正面側小口を隠している。
【００２０】
この第３実施の形態によれば、小孔３９による意匠を除いて、第１実施の形態と同様の作用効果を奏することができると共に、カバー１５は、正面部３３と各側面部３５、３７を別部材にして組み立てているので、出荷時の包装が嵩張らないで済む。
また、第３実施の形態では正面部３３に中空形材を用いて厚みを大きくしているので
、ソリッド形材を用いる場合に比較して軽量で照明具１の出幅を第１実施の形態よりも大きくできる。
【００２１】
本発明は、上述した実施の形態に限らず、本発明の要旨を逸脱しない範囲で種々変形可能である。
例えば、照明具１は、門柱に設けることに限らず、フェンス、手摺やスクリーンに設けて足元を照らすものであっても良いし、カーポート、サイクルポート、シェルター等のエクステリアに設けても良いし、室内の柱、壁、天井の梁等に設けて室内の照明やピンポイントの照明として使用するものであっても良いし、浴室の壁、サッシ、ドア、戸の袖パネル等に設けるものであっても良い。
カバー１５の正面部３３、両側面部３５、３７に、光を漏れ出すように図形を切削加工して、図形から光が漏れ出るようにしても良い。
照明具１は、カバー１５の一方の側面部３５を上に、他方の側面部３７を下にして壁等に取り付け、照明具１の左右方向の一方から光を放出するものであっても良く、取り付け方向や取り付け位置は制限されない。
光源体１７は、照明具１を室内で用いる場合には防水加工をしていなくても良い。また、光源体１７は、ＬＥＤ照明に限らず、白熱電球等であっても良い。
【符号の説明】
【００２２】
１    照明具
３    支柱（建材）
１３  ベース
１５  カバー
１７  光源体
１９  基板部
２１  一端面部
２３  他端面部
３３  正面部
３５、３７  側面部
Ｓ１  隙間
Ｓ２  隙間
【図１】
0005894806.tif 000002
【図２】
0005894806.tif 000003
【図３】
0005894806.tif 000004
【図４】
0005894806.tif 000005
【図５】
0005894806.tif 000006
【図６】
0005894806.tif 000007
【図７】
0005894806.tif 000008
【図８】
0005894806.tif 000009
【図９】
0005894806.tif 000010